(57)【要約】【課題】  単写撮影により撮影した画像と連写撮影により撮影した一連の画像とを同様に取り扱うと共に連写撮影した一連の画像の抽出を迅速に行なう。【解決手段】  連写撮影により画像が撮影されたときには撮影順の撮影番号を含むファイル名を付すと共にファイルのヘッダに連写ＩＤを付し撮影した画像データをファイル化し、単写撮影により撮影された画像と同一のフォルダに保存する。連写撮影により撮影された画像ファイルを抽出するときには、選択した画像の撮影番号Ｎから降順に連写ＩＤが一致しなくなる画像ファイルが検出されるまでファイル抽出し（Ｓ３１０〜Ｓ３６０）、その後、選択した画像の撮影番号Ｎから昇順に連写ＩＤが一致しなくなる画像ファイルが検索されるまでファイル抽出する（Ｓ３８０〜Ｓ４３０）。【選択図】        図１０
2005143020.tif 000002
【特許請求の範囲】
【請求項１】
画像を撮影する撮影装置であって、
データを記憶可能な記憶手段と、
操作者の操作に基づいて単写撮影と連写撮影とを切り替えて画像の撮影を実行する撮影実行手段と、
前記撮影実行手段により単写撮影により画像が撮影されたときには撮影順に付される撮影番号を含むファイル名を付して該撮影された画像を画像ファイルとして前記記憶手段に記憶させ、前記撮影実行手段により連写撮影により画像が撮影されたときには撮影順に付される撮影番号を含むファイル名を付して該連写撮影により撮影された各画像を画像ファイルとすると共に該連写撮影と他の連写撮影とを識別する連写識別情報を各画像の画像ファイルに付して前記記憶手段に記憶させるファイル記憶制御手段と、
前記記憶手段に記憶された画像ファイルのうちの一つの画像ファイルの選択を伴って該選択に係る画像ファイルと同一の連写撮影により撮影された画像の連写画像抽出の指示がされたとき、該選択された画像ファイルに付された連写識別情報に基づいて前記同一の連写撮影により撮影された画像の画像ファイルを該選択された画像ファイルからファイル名に含まれる撮影番号を昇降させて検索することにより抽出するファイル抽出手段と、
を備える撮影装置。
【請求項２】
前記ファイル抽出手段は、前記選択された画像ファイルから前記撮影番号に対して昇順に検索し、該当する画像ファイルの抽出が途絶えたときに昇順の検索を終了し、その後、前記選択された画像ファイルから前記撮影番号に対して降順に検索し、該当する画像ファイルの抽出が途絶えたときに降順の検索を終了する手段である請求項１記載の撮影装置。
【請求項３】
前記ファイル抽出手段は、前記選択された画像ファイルから前記撮影番号に対して降順に検索し、該当する画像ファイルの抽出が途絶えたときに降順の検索を終了し、その後、前記選択された画像ファイルから前記撮影番号に対して昇順に検索し、該当する画像ファイルの抽出が途絶えたときに昇順の検索を終了する手段である請求項１記載の撮影装置。
【請求項４】
請求項１ないし３いずれか記載の撮影装置であって、
画像などのデータを表示可能な表示手段と、
前記ファイル抽出手段により抽出された画像ファイルの画像を前記撮影番号の順に前記表示手段に表示する連写画像表示制御手段と、
を備える撮影装置。
【請求項５】
前記連写画像表示制御手段は、前記抽出された画像ファイルの画像を値１から始まる通し番号と共に前記表示手段に表示する手段である請求項４記載の撮影装置。
【請求項６】
前記連写画像抽出の指示は、前記記憶手段に記憶された画像ファイルの少なくとも一部の画像ファイルの画像が前記撮影番号の順に前記表示手段に一覧表示された状態で該一覧表示された画像からの選択を伴ってなされる指示である請求項４または５記載の撮影装置。
【請求項７】
前記連写画像抽出の指示は、前記選択された画像ファイルと同一の連写撮影により撮影された画像の画像ファイルの少なくとも一部を前記記憶手段から消去するための処理に基づいてなされる指示である請求項４ないし６いずれか記載の撮影装置。
【請求項８】
請求項７記載の撮影装置であって、
操作者の操作に基づいて前記ファイル抽出手段により抽出された画像ファイルの消去および消去の解除を設定する消去設定手段と、
操作者の操作に基づいて前記消去設定手段により消去が設定された画像ファイルを前記記憶手段から消去する消去手段と、
を備え、
前記連写画像表示制御手段は、前記消去設定手段により消去が設定された画像ファイルの画像を前記表示手段に表示する際には消去を識別可能な消去情報を該画像と共に表示する手段である
撮影装置。
【請求項９】
前記消去設定手段は、前記ファイル抽出手段により抽出された全ての画像ファイルに対して消去をデフォルトとして設定する手段である請求項８記載の撮影装置。
【請求項１０】
前記連写画像抽出の指示は、前記選択された画像ファイルと同一の連写撮影により撮影された画像の画像ファイルによるスライドショウを実行するための処理に基づいてなされる指示である請求項１ないし９いずれか記載の撮影装置。
【請求項１１】
前記記憶手段は、記憶素子が組み込まれた着脱自在な記憶メディアを装着してなる手段である請求項１ないし１０いずれか記載の撮影装置。
【請求項１２】
前記撮影装置はデジタルカメラである請求項１ないし１１いずれか記載の撮影装置。
【請求項１３】
データを記憶可能な記憶手段と、操作者の操作に基づいて単写撮影と連写撮影とを切り替えて画像の撮影を実行する撮影実行手段と、画像などのデータを表示可能な表示手段と、を備える撮影装置の処理方法であって、
（ａ）前記撮影実行手段により単写撮影により画像が撮影されたときには撮影順に付される撮影番号を含むファイル名を付して該撮影された画像を画像ファイルとして前記記憶手段に記憶させ、前記撮影実行手段により連写撮影により画像が撮影されたときには撮影順に付される撮影番号を含むファイル名を付して該連写撮影により撮影された各画像を画像ファイルとすると共に該連写撮影と他の連写撮影とを識別する連写識別情報を各画像の画像ファイルに付して前記記憶手段に記憶させ、
（ｂ）前記記憶手段に記憶された画像ファイルのうちの一つの画像ファイルの選択を伴って該選択に係る画像ファイルと同一の連写撮影により撮影された画像の連写画像抽出の指示がされたときには、該選択された画像ファイルに付された連写識別情報を用いて前記同一の連写撮影により撮影された画像の画像ファイルを該選択された画像ファイルからファイル名に含まれる撮影番号を昇降させて検索することにより抽出し、
（ｃ）該抽出した画像ファイルの画像を前記撮影番号の順に前記表示手段に表示する
撮影装置の処理方法。
【請求項１４】
データを記憶可能な記憶手段と、操作者の操作に基づいて単写撮影と連写撮影とを切り替えて画像の撮影を実行する撮影実行手段と、画像などのデータを表示可能な表示手段と、を備える撮影装置に用いられるプログラムであって、
（ａ）前記撮影実行手段により単写撮影により画像が撮影されたときには撮影順に付される撮影番号を含むファイル名を付して該撮影された画像を画像ファイルとして前記記憶手段に記憶させ、前記撮影実行手段により連写撮影により画像が撮影されたときには撮影順に付される撮影番号を含むファイル名を付して該連写撮影により撮影された各画像を画像ファイルとすると共に該連写撮影と他の連写撮影とを識別する連写識別情報を各画像の画像ファイルに付して前記記憶手段に記憶させるモジュールと、
（ｂ）前記記憶手段に記憶された画像ファイルのうちの一つの画像ファイルの選択を伴って該選択に係る画像ファイルと同一の連写撮影により撮影された画像の連写画像抽出の指示がされたときには、該選択された画像ファイルに付された連写識別情報を用いて前記同一の連写撮影により撮影された画像の画像ファイルを該選択された画像ファイルからファイル名に含まれる撮影番号を昇降させて検索することにより抽出するモジュールと、
（ｃ）該抽出した画像ファイルの画像を前記撮影番号の順に前記表示手段に表示するモジュールと、
を備えるプログラム。
【発明の詳細な説明】
【技術分野】
【０００１】
本発明は、撮影装置およびその処理方法並びに撮影装置用のプログラムに関する。
【背景技術】
【０００２】
従来、この種の撮影装置としては、単写撮影と連写撮影とを切り替えて撮影を実行することができるデジタルカメラが提案されている（例えば、非特許文献１参照）。このデジタルカメラでは、記憶媒体としてＳＤ（Secure Digital）メモリカードやマルチメディアカードを用い、単写撮影により撮影された画像についてフォルダ番号を付したフォルダ内にＪＰＥＧ（Joint Photograpic coding Experts Group）ファイルとして撮影順の番号を含んだファイル名を用いてファイル化されて記憶され、連写撮影により撮影された一連の画像についてフォルダ番号を付したフォルダに連写毎に異なる連写フォルダを作成して一連の画像をＪＰＥＧファイルとして連写の順の番号を含んだファイル名を用いてファイル化されて記憶される。
【非特許文献１】「取扱説明書  デジタルカメラ  品番ＤＳＣ−Ｊ２  Ｘａｃｔｉ」，三洋電機株式会社，２００３年１０月，ｐ．１５８
【発明の開示】
【発明が解決しようとする課題】
【０００３】
しかしながら、上述の撮影装置では、単写撮影により撮影された画像と連写撮影により撮影された画像とが異なるフォルダに記憶されているから、単写撮影により撮影された画像と連写撮影により撮影された画像とを同様に扱うことができない。例えば、単写撮影により撮影された画像を順送りして液晶ディスプレイに表示する際には連写撮影により撮影された画像については順送りして表示することができない。連写撮影により撮影された一連の画像から一つの画像を残して消去しても、残った一つの画像は連写撮影により撮影された画像として取り扱われるから、単写撮影により撮影した画像に含めて取り扱うことができない。
【０００４】
こうした問題に対して連写撮影により撮影した一連の画像についても単写撮影により撮影された画像と同一のフォルダに記憶させることも考えられるが、この場合、連写撮影された一連の画像だけを抽出しようとすると、記憶した画像ファイル数が多いときには抽出に時間を要してしまう。
【０００５】
本発明の撮影装置およびその処理方法は、単写撮影により撮影した画像と連写撮影により撮影した一連の画像とを同様に取り扱うと共に連写撮影した一連の画像の抽出を迅速に行なうことを目的の一つとする。また、本発明の撮影装置およびその処理方法は、連写撮影した一連の画像に対する処理の容易化を図ることを目的の一つとする。さらに、本発明の撮影装置およびその処理方法は、連写撮影した一連の画像から一つの画像だけを残して消去する際の手順を簡略化することを目的の一つとする。本発明の撮影装置用のプログラムは、撮影装置に単写撮影により撮影した画像と連写撮影により撮影した一連の画像とを同様に取り扱う機能と連写撮影した一連の画像の抽出を迅速に行なう機能とを付加することを目的とする。
【課題を解決するための手段】
【０００６】
本発明の撮影装置およびその処理方法並びに撮影装置用のプログラムは、上述の目的の少なくとも一部を達成するために以下の手段を採った。
【０００７】
本発明の撮影装置は、
画像を撮影する撮影装置であって、
データを記憶可能な記憶手段と、
操作者の操作に基づいて単写撮影と連写撮影とを切り替えて画像の撮影を実行する撮影実行手段と、
前記撮影実行手段により単写撮影により画像が撮影されたときには撮影順に付される撮影番号を含むファイル名を付して該撮影された画像を画像ファイルとして前記記憶手段に記憶させ、前記撮影実行手段により連写撮影により画像が撮影されたときには撮影順に付される撮影番号を含むファイル名を付して該連写撮影により撮影された各画像を画像ファイルとすると共に該連写撮影と他の連写撮影とを識別する連写識別情報を各画像の画像ファイルに付して前記記憶手段に記憶させるファイル記憶制御手段と、
前記記憶手段に記憶された画像ファイルのうちの一つの画像ファイルの選択を伴って該選択に係る画像ファイルと同一の連写撮影により撮影された画像の連写画像抽出の指示がされたとき、該選択された画像ファイルに付された連写識別情報に基づいて前記同一の連写撮影により撮影された画像の画像ファイルを該選択された画像ファイルからファイル名に含まれる撮影番号を昇降させて検索することにより抽出するファイル抽出手段と、
を備えることを要旨とする。
【０００８】
この本発明の撮影装置では、単写撮影により画像が撮影されたときには撮影順に付される撮影番号を含むファイル名を付して撮影された画像を画像ファイルとして記憶手段に記憶し、連写撮影により画像が撮影されたときには撮影順に付される撮影番号を含むファイル名を付して連写撮影により撮影された各画像を画像ファイルとすると共に連写撮影と他の連写撮影とを識別する連写識別情報を各画像の画像ファイルに付して記憶手段に記憶する。従って、単写撮影により撮影した画像と連写撮影により撮影した各画像とを同様に取り扱うことができる。そして、記憶手段に記憶された画像ファイルのうちの一つの画像ファイルの選択を伴ってこの選択に係る画像ファイルと同一の連写撮影により撮影された画像の連写画像抽出の指示がされたときには、この選択された画像ファイルに付された連写識別情報に基づいて同一の連写撮影により撮影された画像の画像ファイルを選択された画像ファイルからファイル名に含まれた撮影番号を昇降させて検索することにより抽出する。即ち選択された画像ファイルから撮影番号を前に遡ってファイル検索すると共に連写識別情報に基づいて同一の連写撮影により撮影された画像の画像ファイルであるか否かを判定して抽出すると共に選択された画像ファイルから撮影番号を下ってファイル検索すると共に連写識別情報に基づいて同一の連写撮影により撮影された画像の画像ファイルであるか否かを判定して抽出するのである。従って、全ての画像ファイルを照合して抽出するものや撮影順の最初或いは最後から照合して抽出するものに比して連写撮影した各画像の抽出を迅速に行なうことができる。
【０００９】
こうした本発明の撮影装置において、前記ファイル抽出手段は、前記選択された画像ファイルから前記撮影番号に対して昇順に検索し、該当する画像ファイルの抽出が途絶えたときに昇順の検索を終了し、その後、前記選択された画像ファイルから前記撮影番号に対して降順に検索し、該当する画像ファイルの抽出が途絶えたときに降順の検索を終了する手段であるものとすることもできるし、前記選択された画像ファイルから前記撮影番号に対して降順に検索し、該当する画像ファイルの抽出が途絶えたときに降順の検索を終了し、その後、前記選択された画像ファイルから前記撮影番号に対して昇順に検索し、該当する画像ファイルの抽出が途絶えたときに昇順の検索を終了する手段であるものとすることもできる。
【００１０】
また、本発明の撮影装置において、画像などのデータを表示可能な表示手段と、前記ファイル抽出手段により抽出された画像ファイルの画像を前記撮影番号の順に前記表示手段に表示する連写画像表示制御手段と、を備えるものとすることもできる。この場合、前記連写画像表示制御手段は、前記抽出された画像ファイルの画像を値１から始まる通し番号と共に前記表示手段に表示する手段であるものとすることもできる。こうすれば、抽出された連写撮影により撮影された各画像を容易に識別することができる。
【００１１】
こうした抽出された画像ファイルの画像を撮影番号の順に表示手段に表示する態様の本発明の撮影装置において、前記連写画像抽出の指示は、前記記憶手段に記憶された画像ファイルの少なくとも一部の画像ファイルの画像が前記撮影番号の順に前記表示手段に一覧表示された状態で該一覧表示された画像からの選択を伴ってなされる指示であるものとすることもできる。こうすれば、連写撮影により撮影された画像の画像ファイルを抽出する際の検索の中心となる画像の選択を容易なものとすることができる。
【００１２】
また、抽出された画像ファイルの画像を撮影番号の順に表示手段に表示する態様の本発明の撮影装置において、前記連写画像抽出の指示は、前記選択された画像ファイルと同一の連写撮影により撮影された画像の画像ファイルの少なくとも一部を前記記憶手段から消去するための処理に基づいてなされる指示であるものとすることもできる。この態様の本発明の撮影装置において、操作者の操作に基づいて前記連写画像ファイル抽出手段により抽出された画像ファイルの消去および消去の解除を設定する消去設定手段と、操作者の操作に基づいて前記消去設定手段により消去が設定された画像ファイルを前記記憶手段から消去する消去手段と、を備え、前記連写画像表示制御手段は、前記消去設定手段により消去が設定された画像ファイルの画像を前記表示手段に表示する際には消去を識別可能な消去情報を該画像と共に表示する手段であるものとすることもできる。こうすれば、連写撮影により撮影された画像のうち残そうとする画像と消去しようとする画像とを容易に識別することができると共に消去しようとする画像ファイルの消去を容易に行なうことができる。この場合、前記消去設定手段は、前記連写画像ファイル抽出手段により抽出された全ての画像ファイルに対して消去をデフォルトとして設定する手段であるものとすることもできる。こうすれば、残そうとする画像だけを選択することによりその他の画像ファイルの消去を容易に行なうことができる。
【００１３】
本発明の撮影装置において、前記連写画像抽出の指示は、前記選択された画像ファイルと同一の連写撮影により撮影された画像の画像ファイルによるスライドショウを実行するための処理に基づいてなされる指示であるものとすることもできる。なお、連写画像抽出の指示は、上述した連写撮影により撮影された画像の画像ファイルの少なくとも一部を消去するための処理に基づいてなされる指示や連写撮影により撮影された画像の画像ファイルによるスライドショウを実行するための処理に基づいてなされる指示に限定されるものではなく、連写撮影により撮影された画像の印刷処理に基づいてなされる指示などその他の処理に基づいてなされる指示としてもよい。
【００１４】
本発明の撮影装置において、前記記憶手段は、記憶素子が組み込まれた着脱自在な記憶メディアを装着してなる手段であるものとすることもできる。また、撮影装置としてはデジタルカメラを挙げることができる。
【００１５】
本発明の撮影装置の処理方法は、
データを記憶可能な記憶手段と、操作者の操作に基づいて単写撮影と連写撮影とを切り替えて画像の撮影を実行する撮影実行手段と、画像などのデータを表示可能な表示手段と、を備える撮影装置の処理方法であって、
（ａ）前記撮影実行手段により単写撮影により画像が撮影されたときには撮影順に付される撮影番号を含むファイル名を付して該撮影された画像を画像ファイルとして前記記憶手段に記憶させ、前記撮影実行手段により連写撮影により画像が撮影されたときには撮影順に付される撮影番号を含むファイル名を付して該連写撮影により撮影された各画像を画像ファイルとすると共に該連写撮影と他の連写撮影とを識別する連写識別情報を各画像の画像ファイルに付して前記記憶手段に記憶させ、
（ｂ）前記記憶手段に記憶された画像ファイルのうちの一つの画像ファイルの選択を伴って該選択に係る画像ファイルと同一の連写撮影により撮影された画像の連写画像抽出の指示がされたときには、該選択された画像ファイルに付された連写識別情報を用いて前記同一の連写撮影により撮影された画像の画像ファイルを該選択された画像ファイルからファイル名に含まれる撮影番号を昇降させて検索することにより抽出し、
（ｃ）該抽出した画像ファイルの画像を前記撮影番号の順に前記表示手段に表示する
ことを要旨とする。
【００１６】
この本発明の撮影装置の処理方法によれば、単写撮影により画像が撮影されたときには撮影順に付される撮影番号を含むファイル名を付して撮影された画像を画像ファイルとして記憶手段に記憶し、連写撮影により画像が撮影されたときには撮影順に付される撮影番号を含むファイル名を付して連写撮影により撮影された各画像を画像ファイルとすると共に連写撮影と他の連写撮影とを識別する連写識別情報を各画像の画像ファイルに付して記憶手段に記憶するから、単写撮影により撮影した画像と連写撮影により撮影した各画像とを同様に取り扱うことができる。また、記憶手段に記憶された画像ファイルのうちの一つの画像ファイルの選択を伴ってこの選択に係る画像ファイルと同一の連写撮影により撮影された画像の連写画像抽出の指示がされたときには、この選択された画像ファイルに付された連写識別情報に基づいて同一の連写撮影により撮影された画像の画像ファイルを選択された画像ファイルからファイル名に含まれた撮影番号を昇降させて検索することにより抽出するから、即ち選択された画像ファイルから撮影番号を前に遡ってファイル検索すると共に連写識別情報に基づいて同一の連写撮影により撮影された画像の画像ファイルであるか否かを判定して抽出すると共に選択された画像ファイルから撮影番号を下ってファイル検索すると共に連写識別情報に基づいて同一の連写撮影により撮影された画像の画像ファイルであるか否かを判定して抽出するから、全ての画像ファイルを照合して抽出するものや撮影順の最初或いは最後から照合して抽出するものに比して連写撮影した各画像の抽出を迅速に行なうことができる。
【００１７】
本発明の撮影装置用のプログラムは、
データを記憶可能な記憶手段と、操作者の操作に基づいて単写撮影と連写撮影とを切り替えて画像の撮影を実行する撮影実行手段と、画像などのデータを表示可能な表示手段と、を備える撮影装置に用いられるプログラムであって、
（ａ）前記撮影実行手段により単写撮影により画像が撮影されたときには撮影順に付される撮影番号を含むファイル名を付して該撮影された画像を画像ファイルとして前記記憶手段に記憶させ、前記撮影実行手段により連写撮影により画像が撮影されたときには撮影順に付される撮影番号を含むファイル名を付して該連写撮影により撮影された各画像を画像ファイルとすると共に該連写撮影と他の連写撮影とを識別する連写識別情報を各画像の画像ファイルに付して前記記憶手段に記憶させるモジュールと、
（ｂ）前記記憶手段に記憶された画像ファイルのうちの一つの画像ファイルの選択を伴って該選択に係る画像ファイルと同一の連写撮影により撮影された画像の連写画像抽出の指示がされたときには、該選択された画像ファイルに付された連写識別情報を用いて前記同一の連写撮影により撮影された画像の画像ファイルを該選択された画像ファイルからファイル名に含まれる撮影番号を昇降させて検索することにより抽出するモジュールと、
（ｃ）該抽出した画像ファイルの画像を前記撮影番号の順に前記表示手段に表示するモジュールと、
を備えることを要旨とする。
【００１８】
この本発明の撮影装置用のプログラムによれば、プログラムを撮影装置にインストールすることにより、撮影装置を、単写撮影により画像が撮影されたときには撮影順に付される撮影番号を含むファイル名を付して撮影された画像を画像ファイルとして記憶手段に記憶し、連写撮影により画像が撮影されたときには撮影順に付される撮影番号を含むファイル名を付して連写撮影により撮影された各画像を画像ファイルとすると共に連写撮影と他の連写撮影とを識別する連写識別情報を各画像の画像ファイルに付して記憶手段に記憶する装置として機能させることができると共に、記憶手段に記憶された画像ファイルのうちの一つの画像ファイルの選択を伴ってこの選択に係る画像ファイルと同一の連写撮影により撮影された画像の連写画像抽出の指示がされたときには、この選択された画像ファイルに付された連写識別情報に基づいて同一の連写撮影により撮影された画像の画像ファイルを選択された画像ファイルからファイル名に含まれた撮影番号を昇降させて検索することにより抽出し、抽出した画像ファイルの画像を撮影番号の順に表示手段に表示する装置として機能させることができる。この結果、撮影装置を、単写撮影により撮影した画像と連写撮影により撮影した各画像とを同様に取り扱うことができると共に全ての画像ファイルを照合して抽出するものや撮影順の最初或いは最後から照合して抽出するものに比して連写撮影した各画像の抽出を迅速に行なうことができる装置として機能させることができる。
【発明を実施するための最良の形態】
【００１９】
次に、本発明を実施するための最良の形態を実施例を用いて説明する。
【実施例】
【００２０】
図１は本発明の一実施例としてのデジタルカメラ２０の外観を例示する斜視図であり、図２は実施例のデジタルカメラ２０の背面を例示する背面図であり、図３は実施例のデジタルカメラ２０の機能ブロックを例示するブロック図である。
【００２１】
実施例のデジタルカメラ２０は、図１に示すように、正面には光学３倍ズームが可能なズーム機構付きレンズ２１と、点滅することによりセルフタイマーが作動中であることを表示するセルフタイマー点灯部２５とを備え、上部にはモードを選択するモードダイヤル２３と、このモードダイヤル２３の中央に配置された電源ボタン２２と、シャッターボタン２４とを備える。また、デジタルカメラ２０は、図２に示すように、背面３０には、中央の左寄りに配置された液晶ディスプレイ３１と、その右側に配置され上下左右の方向に操作可能な４方向ボタン３２と、背面３０の左上に配置された印刷ボタン３３と、ズーム機能を操作するＷボタン３４ａおよびＴボタン３４ｂと、４方向ボタン３２の左上に配置されたメニューボタン３５と、液晶ディスプレイ３１の下方の左右に配置されたＡボタン３６およびＢボタン３７と、４方向ボタン３２の下方左に配置され液晶ディスプレイ３１への表示を切り替えるディスプレイボタン３８と、その右方向に配置されたレビューボタン３９とを備える。
【００２２】
実施例のデジタルカメラ２０は、機能的には図３に例示するように、中央演算処理装置としてのＣＰＵ４０ａや処理プログラムを記憶するＲＯＭ４０ｂ，一時的にデータを記憶するワークメモリ４０ｃ，設定されたデータを不揮発的に記憶するフラッシュメモリ４０ｄなどを中心として構成されている。デジタルカメラ２０は、撮影系として、レンズや絞りなどにより構成された光学系４２や、この光学系４２により結像される光学像を光電変換して得られる電荷を受光セル毎に一定時間蓄積し受光セル毎の受光量に応じた電気信号を出力するイメージセンサ４３、このイメージセンサ４３を駆動するために必要な駆動パルスをイメージセンサ４３に出力する駆動回路としてのセンサコントローラ４４、イメージセンサ４３から出力される電気信号を量子化してデジタル信号に変換するアナログフロントエンド（ＡＦＥ）部４５、このＡＦＥ部４５から出力されたデジタル信号に対して画像形成処理，ホワイトバランス補正，γ補正，色空間変換等を施して各画素についてＲ，Ｇ，Ｂの階調値やＹ，Ｃｂ，Ｃｒの階調値などを表すデジタル画像を出力するデジタル画像処理部４６、デジタル画像の系列変換（離散コサイン変換やウェーブレット変換等）及びエントロピー符号化（ランレングス符号化やハフマン符号化等）を行なうことによりデジタル画像を圧縮しそれらの逆変換を施すことによりデジタル画像を伸張する圧縮伸張部４７などを備える。また、実施例のデジタルカメラ２０は、液晶ディスプレイ３１の一画面分のデータを格納するためのフレームバッファやフレームバッファに格納されたデジタル画像に基づいて液晶ディスプレイ３１を駆動するための表示回路を有するディスプレイコントローラ５０やモードダイヤル２３，４方向ボタン３２，各種ボタン２４，３３〜３９の入力および着脱可能なフラッシュメモリなどの記憶媒体５３への入出力を司る入出力インタフェース５２、ＵＳＢ（Universal Serial Bus）接続端子５５に接続された機器（コンピュータやプリンタ）と通信のやり取りを管理するＵＳＢホストコントローラ５４やＵＳＢデバイスコントローラなども備えている。なお、デジタル画像処理部４６により画像処理された画像データや圧縮伸張部４７により圧縮・伸張された画像データは、一旦ワークメモリ４０ｃに書き込まれ、その後、撮影順にＩＤとしてのファイル名が付与されて画像ファイルとして入出力インタフェース５２を介して記憶媒体５３に書き込まれる。
【００２３】
次に、こうして構成された実施例のデジタルカメラ２０の動作、特に撮影時に画像をファイル化して記憶媒体５３に書き込む際の動作と、その後の画像ファイルの操作の際の動作について説明する。図４は、撮影時にＣＰＵ４０ａにより実行される撮影時ファイル処理の一例を示すフローチャートである。撮影時ファイル処理が実行されると、撮影が連写撮影か否か（単写撮影か）を判定する（ステップＳ１００）。連写撮影か否かの判定はモードダイヤル２３により連写モードにされているか否かにより行なう。連写撮影のときには、撮影された画像に対して撮影順の番号を用いてファイル名を付与すると共に（ステップＳ１１０）、一連の連写撮影であることを識別する連写ＩＤをファイルのヘッダに付与して（ステップＳ１２０）、撮影した画像をファイル化して記憶媒体５３に作成された指定のフォルダに保存し（ステップＳ１３０）、撮影時ファイル処理を終了する。なお、連写撮影のときには連続して撮影されるから、その撮影毎にこの処理が実行される。従って、連写撮影により撮影された一連の画像のファイルは、連続した撮影順の番号が含まれるファイル名が付与されることになると共に同一の連写ＩＤがファイルのヘッダに付与されることになる。一方、連写撮影ではないときには、同じく撮影された画像に対して撮影順の番号を用いてファイル名を付与して（ステップＳ１４０）、撮影した画像をファイル化して連写撮影された画像のファイルが保存されたフォルダと同一のフォルダに保存し（ステップＳ１５０）、撮影時ファイル処理を終了する。図５に記憶媒体５３のフォルダ構造の一例を示し、図６に画像ファイルのファイル構造の一例を示す。図５に示すように、記憶媒体５３のルートには、「ＤＣＩＭ」というフォルダが作成され、その下に「１００ＡＢＣＤＥ」や「１０１ＡＢＣＤＥ」などのデジタルカメラ２０のメーカーなどを示唆する名称（ここでは「ＡＢＣＤＥ」）が含まれるフォルダが作成されている。実施例のデジタルカメラ２０では、フォルダの指定をしなければ、画像ファイルが所定数（例えば９９９９個）記憶されるまではデフォルトとして「１００ＡＢＣＤＥ」のフォルダに画像ファイルが保存され、保存された画像ファイルが所定数を超えると、次の「１０１ＡＢＣＤＥ」のフォルダに保存される。図５には、「１００ＡＢＣＤＥ」のフォルダに連写撮影により撮影された画像のファイルと単写撮影により撮影された画像のファイルとが混在して保存されている様子も示した。実施例では、メーカーを示唆する文字列「ＡＢＣＤＥ」に４桁の撮影順を示す番号を組み合わせてファイル名とした。図５中最右欄は、画像ファイルのヘッダに付された連写ＩＤを示す。この例によると、ABCDE0003.jpg〜ABCDE0007.jpgの５個の画像ファイルやABCDE0011.jpg〜ABCDE0019.jpgの９個の画像ファイルが連写撮影により撮影された一連の画像ファイルである。画像ファイルは、図６に示すように、ファイル名や撮影日時，連写ＩＤなどがヘッダに付されており、画像データはＪＰＥＧ（Joint Photograpic coding Experts Group）フォーマットに変換されている。以下の説明では、図５に例示した画像ファイルを具体例として適宜用いて説明する。
【００２４】
次に、連写撮影された一連の画像を消去する際の動作について説明する。デジタルカメラ２０のモードダイヤル２３を操作して再生モードにすると、図示しない再生モード処理により記憶媒体５３の指定フォルダ（この場合、「１００ＡＢＣＤＥ」フォルダ）から画像ファイルを読み込み、図７に例示するように液晶ディスプレイ３１に６個ずつ画像を表示する。この状態で４方向ボタン３２を操作すると、操作する方向にフォーカスフレームを移動させることができる。右下の画像にフォーカスフレームを合わせた状態で右方向に４方向ボタン３２を操作すると、次の６個の画像が液晶ディスプレイ３１に表示され、左上の画像にフォーカスフレームを合わせた状態で左方向に４方向ボタン３２を操作すると、前の６個の画像が液晶ディスプレイ３１に表示される。図７では、４方向ボタン３２を操作して、ABCDE0014の画像にフォーカスフレームが合わせられている状態を示した。この状態でメニューボタン３５を操作すると、図８に例示する再生メニューが液晶ディスプレイ３１に表示される。この再生メニュー画面では、４方向ボタン３２を上下方向に操作してフォーカスフレームを移動させてメニュー項目を選択し、４方向ボタン３２の中央を操作することにより選択したメニュー項目の処理を実行することができる。連写撮影された一連の画像を消去するには、図８に示すように、「連写グループ消去」にフォーカスフレームを移動させて４方向ボタン３２の中央を操作することにより、その処理を実行することができる。
【００２５】
図９は、「連写グループ消去」が選択されて実行される際にＣＰＵ４０ａにより実行される連写グループ消去処理の一例を示すフローチャートである。連写グループ消去処理が実行されると、まず、再生メニュー画面を表示する際にフォーカスフレームにより選択された画像（図７ではABCDE0014の画像）のファイルのファイル名の一部を構成する撮影番号Ｎと連写ＩＤとを取得する処理を実行する（ステップＳ２００）。具体例では、選択画像がABCDE0014であるから、撮影番号Ｎとしては「００１４」が取得され、連写ＩＤとしては「００２」が取得される。
【００２６】
続いて、取得した撮影番号Ｎと連写ＩＤとに基づいて選択画像と同一の連写撮影により撮影された画像のファイルを記憶媒体５３から抽出する処理を実行する（ステップＳ２１０）。この処理は、図１０に例示するファイル抽出処理により行なわれる。連写グループ消去処理の説明を中断してファイル抽出処理について説明する。
【００２７】
ファイル抽出処理では、まず、取得した撮影番号Ｎを検索初期値Ｎｓｅｔに格納する（ステップＳ３００）。次に、撮影番号Ｎを値１だけデクリメントし（ステップＳ３１０）、デクリメントした撮影番号Ｎをファイル名に含む画像ファイルを検索する（ステップＳ３２０）。画像ファイルが検索されないときには（ステップＳ３３０）、撮影番号Ｎを値１だけデクリメントするステップＳ３１０の処理に戻る。画像ファイルが検索されたときには（ステップＳ３３０）、検索された画像ファイルから連写ＩＤを取得して選択画像のファイルから取得した連写ＩＤと比較する（ステップＳ３５０）。連写ＩＤが一致するときには検索した画像ファイルのファイル名を抽出リストに書き込んで（ステップＳ３６０）、撮影番号ＮをデクリメントするステップＳ３１０の処理に戻る。これらの一連の処理は、前述したように、連写撮影により撮影された画像のファイル名には連続する撮影番号が含まれるから、選択画像から撮影番号Ｎをデクリメントして連写ＩＤが一致しなくなるまで検索された画像ファイルのファイル名を抽出リストに書き込む処理となる。即ち、撮影番号Ｎに対して降順に画像ファイルを検索し、連写ＩＤが一致する画像ファイルのファイル名を抽出リストに書き込むのである。具体例では、選択画像は、ABCDE0014の画像であるから、図５のABCDE0014.jpgのファイルからABCDE0013.jpg，ABCDE0012.jpg，ABCDE0011.jpgの順（降順）に検索されて抽出リストにファイル名が書き込まれ、ABCDE0010.jpgが検索されたときにこのファイルが連写ＩＤを持たないことから降順の検索を終了する。検索された画像ファイルから取得した連写ＩＤと選択画像から取得した連写ＩＤとが一致しないときには、撮影番号Ｎに格納した検索初期値Ｎｓｅｔをセットして初期値に戻し（ステップＳ３７０）、ステップＳ３１０〜Ｓ３６０の選択画像から撮影番号Ｎをデクリメントして連写ＩＤが一致しなくなるまで検索された画像ファイルのファイル名を抽出リストに書き込む処理と同様の処理を選択画像から撮影番号Ｎを値１ずつインクリメントして行なう処理として実行する（ステップＳ３８０〜Ｓ４３０）。この処理は、撮影番号Ｎに対して昇順に画像ファイルを検索し、連写ＩＤが一致する画像ファイルのファイル名を抽出リストに書き込む処理となる。具体例では、選択画像は、ABCDE0014の画像であるから、図５のABCDE0014.jpgのファイルからABCDE0015.jpg，ABCDE0016.jpg，ABCDE0017.jpgの順（昇順）に検索されて抽出リストにファイル名が書き込まれ、ABCDE0020.jpgが検索されたときにこのファイルが連写ＩＤを持たないことから昇順の検索を終了する。検索された画像ファイルから取得した連写ＩＤと選択画像から取得した連写ＩＤとが一致しないときには、抽出を終了し、抽出リストに書き込まれたファイル名を撮影番号Ｎの順に並び替え（ステップＳ４４０）、撮影番号Ｎの順に値１から始まる連番の抽出番号を設定して（ステップＳ４５０）、ファイル抽出処理を終了する。ここで抽出リストに書き込まれたファイル名を撮影番号Ｎの順に並び替えるのは、抽出リストに書き込まれる順が撮影番号Ｎの順と異なるからである。具体例における抽出番号が付与された抽出リストの一例を図１１に示す。このように選択画像の撮影番号Ｎから降順に連写ＩＤが一致��なくなる画像ファイルが検出されるまでファイル抽出すると共にその後選択画像の撮影番号から昇順に連写ＩＤが一致しなくなる画像ファイルが検索されるまでファイル抽出してファイル抽出を終了することにより、記憶媒体５３の「１００ＡＢＣＤＥ」フォルダに保存されている全ての画像ファイルを検索すると共に連写ＩＤが一致するかの判定を行なってファイル抽出するものに比して、迅速にファイル抽出を完了することができる。
【００２８】
こうしてファイル抽出処理を終了すると、図９の連写グループ消去処理では、抽出された全ファイルに対して消去を設定し（ステップＳ２２０）、抽出番号と消去マークを伴って選択画像を液晶ディスプレイ３１に表示する（ステップＳ２３０）。この状態の具体例を図１２に示す。図示するように、液晶ディスプレイ３１の全体に画像が表示されると共に左上に抽出番号が抽出されたファイル数に対する分数の形式で表示され、表示部のほぼ中央に「消去」を示す消去マークが表示される。また、表示部の下部には、４方向ボタン３２の上下方向の操作により消去の設定とその解除が行なえるインフォメーションや４方向ボタン３２の中央の操作により連写グループとして抽出され消去が設定されている画像ファイルの全てを消去するインフォメーション、メニューボタン３５の操作により前の画面、即ち図８に例示した再生メニュー画面に戻る旨のインフォメーションが表示される。更に、表示部の両サイドには４方向ボタン３２の左右方向の操作により液晶ディスプレイ３１に表示する画像を抽出リストの順に変更することができるようそのマークが表示される。操作者は、４方向ボタン３２の左右方向の操作により液晶ディスプレイ３１に表示する画像を変更し、４方向ボタン３２の上下方向の操作により表示されている画像の消去の設定を解除したり再設定することができる。連写グループ消去処理では、こうしたボタン操作を受け付け（ステップＳ２４０）、受け付けたボタン操作が消去実行の指示、即ち４方向ボタン３２の中央の操作であるか否かを判定する（ステップＳ２５０）。ボタン操作が消去実行の指示ではないときには、ボタン操作に対応する処理を実行して（ステップＳ２６０）、ボタン操作を受け付ける処理に戻る。なお、フローチャートには示さないが、ボタン操作がメニューボタン３５の操作のときには再生メニューの処理に移行するから、ボタン操作を受け付ける処理には戻らない。この処理については本発明の中核をなさないからこれ以上の説明は省略する。
【００２９】
受け付けたボタン操作が消去実行の指示のときには、抽出された画像ファイルのうち消去が設定されているファイルを記憶媒体５３から消去し（ステップＳ２７０）、再生モードの初期画面（図７参照）に戻って（ステップＳ２８０）、連写グループ消去処理を終了する。抽出されたファイルABCDE0011.jpg〜ABCDE0019.jpgのうちABCDE0016.jpgの消去の設定だけを解除して消去実行の指示を行なったときの記憶媒体５３の状態を図１３に示す。図示するように、連写ＩＤ００２の画像ファイルはABCDE0016.jpgを残して全て消去されている。
【００３０】
以上説明した実施例のデジタルカメラ２０によれば、連写撮影により撮影された一連の画像のファイルのヘッダに連写ＩＤを付すことにより、連写撮影された画像やそのファイルを単写撮影された画像やそのファイルと同様に取り扱うことができると共に同一のフォルダに混在させて保存することができる。また、実施例のデジタルカメラ２０によれば、撮影順の撮影番号を含むように画像ファイルのファイル名を付し、連写グループ消去の処理の際には選択画像の撮影番号Ｎから降順に連写ＩＤが一致しなくなる画像ファイルが検出されるまでファイル抽出すると共にその後選択画像の撮影番号Ｎから昇順に連写ＩＤが一致しなくなる画像ファイルが検索されるまでファイル抽出してファイル抽出を終了することにより、記憶媒体５３に記憶されている全ての画像ファイルを検索すると共に連写ＩＤが一致するかの判定を行なってファイル抽出するものに比して、迅速にファイル抽出を行なうことができる。
【００３１】
また、実施例のデジタルカメラ２０によれば、連写グループ消去の処理において抽出されたファイルの全てにデフォルトとして消去を設定し、その後、抽出された画像毎に消去の設定を解除するものとしたから、連写撮影された一連の画像のうち一つだけを残して他の全てを消去する操作を迅速に簡易に行なうことができる。
【００３２】
実施例のデジタルカメラ２０では、記憶媒体５３が記憶手段に相当し、モードダイヤル２３やシャッターボタン２４，ＣＰＵ４０ａ，ＲＯＭ４０ｂ，ワークメモリ４０ｃ，光学系４２，イメージセンサ４３，ＡＦＥ部４５，デジタル画像処理部４６，圧縮伸張部４７などが撮影実行手段に相当し、図４の撮影時ファイル処理を実行するＣＰＵ４０ａやワークメモリ４０ｃがファイル記憶制御手段に相当し、図１０のファイル抽出処理を実行するＣＰＵ４０ａやワークメモリ４０ｃがファイル抽出手段に相当する。
【００３３】
実施例のデジタルカメラ２０では、連写グループ消去の処理の一部としてファイル抽出処理を行なうものとしたが、こうした連写撮影された一連の画像のファイルを抽出する処理をファイルを消去するための処理の一部として用いられるものに限定されるものではなく、連写撮影した一連の画像のファイルを取り扱う如何なる処理の一部としても用いることができる。例えば、図８に例示する再生メニュー画面でフォーカスフレームを連写グループスライドショウに移動させて４方向ボタン３２の中央を操作することにより、連写撮影された一連の画像のファイルを抽出し、抽出されたファイルによるスライドショウを行なうものとすることができる。また、図示しないが連写撮影された画像をまとめて印刷する連写グループ印刷の処理にも同様にファイル抽出処理を用いることができる。
【００３４】
実施例のデジタルカメラ２０のファイル抽出処理では、選択画像の撮影番号Ｎから降順に連写ＩＤが一致しなくなる画像ファイルが検出されるまでファイル抽出し、その後、選択画像の撮影番号Ｎから昇順に連写ＩＤが一致しなくなる画像ファイルが検索されるまでファイル抽出するものとしたが、逆に、選択画像の撮影番号Ｎから昇順に連写ＩＤが一致しなくなる画像ファイルが検出されるまでファイル抽出し、その後、選択画像の撮影番号Ｎから降順に連写ＩＤが一致しなくなる画像ファイルが検索されるまでファイル抽出するものとしてもよい。
【００３５】
実施例では、連写撮影により撮影された一連の画像のファイルを抽出する際に撮影番号を昇降させてファイル抽出する本発明の内容をデジタルカメラ２０として説明したが、デジタルカメラ２０における処理方法の形態としたり、デジタルカメラ２０にインストールされて用いられるプログラムの形態としてもよい。プログラムの形態とする場合、図４に例示した撮影時ファイル処理や図９に例示した連写グループ削除処理，図１０に例示したファイル抽出処理の各ステップの処理を各手順として適当なプログラミング言語を用いてプログラムすればよい。
【００３６】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３７】
本発明は、撮影装置の製造産業に利用可能である。
【図面の簡単な説明】
【００３８】
【図１】実施例のデジタルカメラ２０の外観を例示する斜視図。
【図２】実施例のデジタルカメラ２０の背面を例示する背面図。
【図３】実施例のデジタルカメラ２０の機能ブロックを例示するブロック図。
【図４】撮影時ファイル処理の一例を示すフローチャート。
【図５】記憶媒体５３のフォルダ構造の一例を示す説明図。
【図６】画像ファイルのファイル構造の一例を示す説明図。
【図７】再生モードの液晶ディスプレイ３１の一例を示す説明図。
【図８】再生メニュー画面とその操作を説明する説明図。
【図９】連写グループ消去処理の一例を示すフローチャート。
【図１０】ファイル抽出処理の一例を示すフローチャート。
【図１１】具体例における抽出リストの一例を示す説明図。
【図１２】連写グループ消去における表示の一例を示す説明図。
【図１３】記憶媒体５３のフォルダ構造の一例を示す説明図。
【符号の説明】
【００３９】
２０  デジタルカメラ、２１  ズーム機構付きレンズ、２２  電源ボタン、２３  モードダイヤル、２４  シャッターボタン、２５  セルフタイマー点灯部、３０  背面、３１  液晶ディスプレイ、３２  ４方向ボタン、３３  印刷ボタン、３４ａ  Ｗボタン、３４ｂ  Ｔボタン、３５  メニューボタン、３６  Ａボタン、３７  Ｂボタン、３８  ディスプレイボタン、３９  レビューボタン、４０ａ  ＣＰＵ、４０ｂ  ＲＯＭ、４０ｃ  ワークメモリ、４０ｄ  フラッシュメモリ、４２  光学系、４３  イメージセンサ、４４  センサコントローラ、４５  アナログフロントエンド（ＡＦＥ）部、４６  デジタル画像処理部、４７  圧縮伸張部、５０  ディスプレイコントローラ、５２  入出力インタフェース、５３  記憶媒体、５４  ＵＳＢホストコントローラ、５５  ＵＳＢ接続端子。
【図１】
2005143020.tif 000003
【図２】
2005143020.tif 000004
【図３】
2005143020.tif 000005
【図４】
2005143020.tif 000006
【図５】
2005143020.tif 000007
【図６】
2005143020.tif 000008
【図７】
2005143020.tif 000009
【図８】
2005143020.tif 000010
【図９】
2005143020.tif 000011
【図１０】
2005143020.tif 000012
【図１１】
2005143020.tif 000013
【図１２】
2005143020.tif 000014
【図１３】
2005143020.tif 000015